(57)【特許請求の範囲】
【請求項１】
正面視矩形状の第１のボードと、
この第１のボードと同一形状であって該第１のボードと外周縁が一致し、かつ、平行に配置された第２のボードと、
前記第１および第２のボードとの間に所定間隔を隔てて設けられ、この第１および第２のボードを接続する複数の縦桟と、
前記第１および第２のボードの間であって前記縦桟の長手方向側に形成された開放端部の前記縦桟を介して形成された複数の凹部の上下のそれぞれに着脱可能に嵌合する嵌合部材とを備えた間仕切壁であって、
前記複数の縦桟の内、隣接する縦桟は、隣接間隔を有して形成され、
前記複数の縦桟の内、一番端の縦桟を第１および第２のボードの側端部から突出させて凸部を形成し、
前記複数の縦桟の内、前記凸部と反対側に位置する縦桟を前記第１および第２のボードの側端部から奥まらせて凹部を形成し、
前記側端部からの前記凹部の深さは前記隣接間隔に略同じであり、 
前記第１および第２のボードは、水平方向より垂直方向に長い矩形形状であり、
前記縦桟の垂直方向の長手寸法は、前記第１および第２のボードの垂直方向の長手寸法と略同じであり、
前記複数の嵌合部材を介して前記第１または／および第２のボードの外側面から前記床板および天井板のそれぞれに止着部材が打ち込まれている
ことを特徴とする間仕切壁。
【請求項２】
正面視矩形状の第１のボードと、
この第１のボードと同一形状であって該第１のボードと外周縁が一致し、かつ、平行に配置された第２のボードと、
前記第１および第２のボードとの間に所定間隔を隔てて設けられ、この第１および第２のボードを接続する複数の縦桟と、
前記第１および第２のボードの間であって前記縦桟の長手方向側に形成された開放端部の前記縦桟を介して形成された複数の凹部の上下のそれぞれに着脱可能に嵌合する嵌合部材とを備えた間仕切壁を複数連結して用いる間仕切壁であって、
前記複数の縦桟の内、隣接する縦桟は、隣接間隔を有して形成され、
前記複数の縦桟の内、一番端の縦桟を第１および第２のボードの側端部から突出させて凸部を形成し、
前記複数の縦桟の内、前記凸部と反対側に位置する縦桟を前記第１および第２のボードの側端部から奥まらせて凹部を形成し、
前記凸部は、前記凹部に着脱可能に嵌合するように形成され、
前記凸部を形成する一番端の縦桟は隣接する間仕切壁の凸部と反対側に位置する縦桟と当接せず離間し、その離間距離は、前記隣接間隔と略同じであり、 
前記第１および第２のボードは、水平方向より垂直方向に長い矩形形状であり、
前記縦桟の垂直方向の長手寸法は、前記第１および第２のボードの垂直方向の長手寸法と略同じであり、
前記複数の嵌合部材を介して前記第１または／および第２のボードの外側面から前記床板および天井板のそれぞれに止着部材が打ち込まれている
ことを特徴とする間仕切壁。
【請求項３】
所定間隔を隔てて設けられた複数の縦桟と、この縦桟の相対する両面に取り付けられた第１および第２のボードと、を備えた間仕切壁を、床板と天井板とに取り付けて固定する間仕切壁の施工方法であって、
前記第１および第２のボードは、水平方向より垂直方向に長い矩形形状であり、
前記縦桟の垂直方向の長手寸法は、前記第１および第２のボードの垂直方向の長手寸法と略同じであり、
前記第１および第２のボードの間であって前記縦桟の長手方向側に形成された開放端部の前記縦桟を介して形成された複数の凹部の上下のそれぞれに、この各開放端部に着脱可能に嵌合する複数の嵌合部材を嵌合させた後、この複数の嵌合部材を介して前記第１または／および第２のボードの外側面から前記床板および天井板のそれぞれに止着部材を打ち込む
ことを特徴とする間仕切壁の施工方法。
【発明の詳細な説明】
【技術分野】
【０００１】
本発明は、床板および天井板に固定され、室内等を間仕切る間仕切壁及び間仕切壁の施工方法に係り、特に、正面視矩形状の第１のボードと、この第１のボードと同一形状であって該第１のボードと外周縁が一致し、かつ、平行に配置された第２のボートと、第１および第２のボードとの間に所定間隔を隔てて設けられ、この第１および第２のボードを接続する複数の縦桟と、第１および第２のボードの間であって縦桟の長手方向側に形成された開放端部のそれぞれに着脱可能に嵌合する嵌合部材と、を備えているものに関する。
【背景技術】
【０００２】
従来、建物内部を間仕切って区画する間仕切壁の施工にあっては、床板と天井板とを接
続する間柱を、所定間隔を隔てて立設させ、その間柱の相対する両面に、木製の単板や合
板を釘やビスなどで止着したり、石膏製のボードを接着剤または釘、ビスで止着していた
。
【０００３】
中でも石膏材料は、例えば木材などの他の材料に比べて非常に安価であり、耐火性も兼
ね備えているため、建材として好んで用いられるものであり、例えば、特許文献１の段落
番号［００１９］において開示されているように、ボードだけでなく垂直軸組部材（間柱
）にも石膏製の建材が使用されることが開示されている。
【０００４】
加えて、間柱に石膏製の建材を用いる場合にあっては、建物解体時の建材のリサイクル
において、ボードと間柱とを一括して処理できるため、異なる建材を用いるものに比べて
廃材の発生が少なく、環境保護の観点からも望ましい。
【先行技術文献】
【特許文献】
【０００５】
【特許文献１】特開２００２−３６４１０４号公報
【発明の概要】
【発明が解決しようとする課題】
【０００６】
しかしながら、ボードおよび間柱に石膏製の建材を使用し、これらと床板や天井板とを
接続する場合、釘やビスを用いると石膏の脆性故に十分な強度を確保することができず、
接着剤を用いると施工に手間と時間がかかるばかりか、解体時の分離に難があり、分別回
収し難いという問題点があった。
【０００７】
本発明は、上述した問題点を解決するためになされたものである。
【課題を解決するための手段】
【０００８】
請求項１記載の間仕切壁は、正面視矩形状の第１のボードと、この第１のボードと同一形状であって該第１のボードと外周縁が一致し、かつ、平行に配置された第２のボードと、前記第１および第２のボードとの間に所定間隔を隔てて設けられ、この第１および第２のボードを接続する複数の縦桟と、前記第１および第２のボードの間であって前記縦桟の長手方向側に形成された開放端部の前記縦桟を介して形成された複数の凹部の上下のそれぞれに着脱可能に嵌合する嵌合部材とを備えた間仕切壁であって、前記複数の縦桟の内、隣接する縦桟は、隣接間隔を有して形成され、前記複数の縦桟の内、一番端の縦桟を第１および第２のボードの側端部から突出させて凸部を形成し、前記複数の縦桟の内、前記凸部と反対側に位置する縦桟を前記第１および第２のボードの側端部から奥まらせて凹部を形成し、前記側端部からの前記凹部の深さは前記隣接間隔に略同じであり、前記第１および第２のボードは、水平方向より垂直方向に長い矩形形状であり、前記縦桟の垂直方向の長手寸法は、前記第１および第２のボードの垂直方向の長手寸法と略同じであり、前記複数の嵌合部材を介して前記第１または／および第２のボードの外側面から前記床板および天井板のそれぞれに止着部材が打ち込まれている。
【０００９】
また、請求項２記載の間仕切壁は、正面視矩形状の第１のボードと、この第１のボードと同一形状であって該第１のボードと外周縁が一致し、かつ、平行に配置された第２のボードと、前記第１および第２のボードとの間に所定間隔を隔てて設けられ、この第１および第２のボードを接続する複数の縦桟と、前記第１および第２のボードの間であって前記縦桟の長手方向側に形成された開放端部の前記縦桟を介して形成された複数の凹部の上下のそれぞれに着脱可能に嵌合する嵌合部材とを備えた間仕切壁を複数連結して用いる間仕切壁であって、前記複数の縦桟の内、隣接する縦桟は、隣接間隔を有して形成され、前記複数の縦桟の内、一番端の縦桟を第１および第２のボードの側端部から突出させて凸部を形成し、前記複数の縦桟の内、前記凸部と反対側に位置する縦桟を前記第１および第２のボードの側端部から奥まらせて凹部を形成し、前記凸部は、前記凹部に着脱可能に嵌合するように形成され、前記凸部を形成する一番端の縦桟は隣接する間仕切壁の凸部と反対側に位置する縦桟と当接せず離間し、その離間距離は、前記隣接間隔と略同じであり、前記第１および第２のボードは、水平方向より垂直方向に長い矩形形状であり、前記縦桟の垂直方向の長手寸法は、前記第１および第２のボードの垂直方向の長手寸法と略同じであり、前記複数の嵌合部材を介して前記第１または／および第２のボードの外側面から前記床板および天井板のそれぞれに止着部材が打ち込まれている。
【００１０】
また、請求項３記載の間仕切壁の施工方法は、所定間隔を隔てて設けられた複数の縦桟と、この縦桟の相対する両面に取り付けられた第１および第２のボードと、を備えた間仕切壁を、床板と天井板とに取り付けて固定する間仕切壁の施工方法であって、前記第１および第２のボードは、水平方向より垂直方向に長い矩形形状であり、前記縦桟の垂直方向の長手寸法は、前記第１および第２のボードの垂直方向の長手寸法と略同じであり、前記第１および第２のボードの間であって前記縦桟の長手方向側に形成された開放端部の前記縦桟を介して形成された複数の凹部の上下のそれぞれに、この各開放端部に着脱可能に嵌合する複数の嵌合部材を嵌合させた後、この複数の嵌合部材を介して前記第１または／および第２のボードの外側面から前記床板および天井板のそれぞれに止着部材を打ち込むものである。
【発明の効果】
【００１２】
請求項１記載の間仕切壁によれば、正面視矩形状の第１のボードと、この第１のボードと同一形状であって該第１のボードと外周縁が一致し、かつ、平行に配置された第２のボードと、前記第１および第２のボードとの間に所定間隔を隔てて設けられ、この第１および第２のボードを接続する複数の縦桟と、前記第１および第２のボードの間であって前記縦桟の長手方向側に形成された開放端部のそれぞれに着脱可能に嵌合する嵌合部材と、を備えているため、間仕切壁の施工において、止着部材を第１または／および第２のボードの外側面から嵌合部材を介して床板および天井板に打ち込めば、止着部材により第１および第２のボードを、床板および天井板に直接取り付けることなく、嵌合部材を介して間接的に取り付けることができ、間仕切壁を床板および天井板に確実かつ強固に固定することができる。
【００１３】
請求項２記載の発明によれば、間仕切壁の複数の縦桟の内、一番端の縦桟を第１および第２のボードの側端部から突出させて凸部を形成し、前記複数の縦桟の内、前記凸部と反対側に位置する縦桟を前記第１および第２のボードの側端部から奥まらせて凹部を形成し、前記凸部は、前記凹部に着脱可能に嵌合するように形成されているため、間仕切壁どうしを簡易な方法で迅速かつ正確に連結させることができる。
【図面の簡単な説明】
【００１６】
【図１】本発明の第１の実施例の間仕切壁を示した概略的斜視図である。
【図２】本発明の第１の実施例の間仕切壁を示した概略図であり、図２（ａ）は正面図を、図２（ｂ）は図２（ａ）のＡ−Ａ線で切断した断面図を、図２（ｃ）は図２（ａ）のＢ−Ｂ線で切断した断面図をそれぞれ示している。
【図３】図２（ａ）の概略的断面拡大図であり、図３（ａ）は図２（ａ）のＡ−Ａ線で切断した図を、図３（ｂ）は図２（ａ）のＡ’−Ａ’線で切断した図を、図３（ｃ）は図３（ｂ）の変形例をそれぞれ示している。
【図４】図１の施工状態を示した概略的斜視図である。
【図５】図１の施工状態を示した概略図であり、図５（ａ）は正面図を、図５（ｂ）は図５（ａ）のＣ−Ｃ線で切断した断面図をそれぞれ示している。
【図６】図１の施工状態を示した概略図であって図２（ａ）のＢ−Ｂ線で切断した箇所の断面図であり、図６（ａ）、図６（ｂ）は施工過程を表している。
【図７】図１の施工の一例を示した概略図であって図２（ａ）のＢ−Ｂ線で切断した箇所の断面図であり、図７（ａ）、図７（ｂ）は施工過程を表している。
【図８】図１の変形例を示した概略的斜視図である。
【図９】図１の他の変形例を示した概略的斜視図である。
【図１０】本発明の第２の実施例の間仕切壁を説明するための木製の部材の概略的分解斜視図である。
【図１１】本発明の第２の実施例の間仕切壁を示した概略的斜視図である。
【図１２】図１１のＤ−Ｄ線で切断した概略的断面図であって、手摺を取り付ける状態を示したものである。
【図１３】図１１に手摺を取り付けた状態を示したものである。
【発明を実施するための形態】
【００１７】
本発明に係る間仕切壁の第１の実施例を、図１〜図７を参照して説明する。図１〜図３
において、Ａは、本発明の間仕切壁であり、図４に示したように、室内空間を間仕切るも
ので、間仕切壁Ａは、図１に示したように、概略的に、第１のボード１１と、第２のボー
ド１２と、縦桟２と、嵌合部材５１とにより構成されている。
【００１８】
第１のボード１１は、正面視矩形状であり、石膏製の部材で構成されている。
【００１９】
第２のボート１２は、第１のボード１１と同一形状であって該第１のボード１１と外周
縁が一致し、かつ、平行に配置されているもので、石膏製の部材で構成されている。
【００２０】
縦桟２は、第１および第２のボード１１、１２との間に所定間隔を隔てて上下方向に複
数（本実施例にあっては２箇所を例示）設けられ、前述した第１および第２のボード１１
、１２を接続するもので、各々の縦桟２、２、・・は、石膏製の部材で構成されている。
この縦桟２は、第１および第２のボード１１、１２とを接続し、かつ、これらを補強する
点では間柱と作用効果が共通するが、床板ｆおよび天井板ｃ（図４参照）とは直接的には
固定されない点で異なるものである。
【００２１】
なお、縦桟２は、図３（ｂ）に示したように、一体物として形成したり、図３（ｃ）に
示したように、複数枚（同図にあっては３枚の板材２’を積重した縦桟２を例示）の板材
２’、２’、・・・を積重して形成するようにしてもよい。
【００２２】
また、石膏部材どうし、すなわち、第１のボード１１と縦桟２、第２のボード１２と縦
桟２、板材２’を積重した縦桟２にあっては、その板材２’、２’どうしは互いに接着剤
で接着されている。
【００２３】
嵌合部材５１は、図１、図２（ａ）、（ｂ）、図３（ａ）に示したように、第１および
第２のボード１１、１２の間であって縦桟２の長手方向側に形成された略コ字状または略
ロ字状の開放端部３のそれぞれに着脱可能に嵌合するもので、木製の部材である。
【００２４】
この嵌合部材５１には、例えば、図１および図３（ａ）に示したように、該嵌合部材５
１の上面または／および下面に、平板状であって開放端部３の開放面積よりも大きく第１
および第２のボード１１、１２の端部外縁に見合う大きさの位置決め部材５２を取り付け
てもよく、この位置決め部材５２を第１および第２のボード１１、１２の上下端部に係止
させれば、嵌合部材５１を、略コ字状または略ロ字状の開放端部３のそれぞれに、容易に
位置決めして嵌合することができる。
【００２５】
ところで、図４に示したように、上述した間仕切壁Ａを複数連結して用いる場合にあっ
ては、図１に示したように、間仕切壁Ａの複数の縦桟２、２、・・・の内、一番端の縦桟
２（２１）を第１および第２のボード１１、１２の側端部から突出させて凸部４１を形成
し、複数の縦桟２、２、・・・の内、凸部４１と反対側に位置する縦桟２（２２）を第１
および第２のボード１１、１２の側端部から奥まらせて凹部４２を形成し、凸部４１は、
凹部４２に着脱可能に嵌合するように形成してもよい。
【００２６】
次に、上述した第１の実施例の構成の間仕切壁Ａの施工方法について、図５〜図７を参
照して説明する。まず、第１および第２のボード１１、１２の間であって縦桟２の長手方
向側に形成された略コ字状および略ロ字状の開放端部３（図１参照）のそれぞれに嵌合部
材５１を嵌合させた後、図５（ｂ）に示したように、この嵌合部材５１を介して第１また
は／および第２のボード１１、１２の外側面から床板ｆおよび天井板ｃのそれぞれに止着
部材ｓを斜め方向（例えば、鉛直方向に対して４５°傾けた方向）から打ち込むもので、
止着部材ｓには、例えば、釘やビスなどが用いられる。
【００２７】
なお、止着部材ｓは、同図に示したように、第１および第２のボード１１、１２の両外
側面からクロス状に交互に打ち込むのが強度の点から好ましく、打ち込まれる止着部材ｓ
、ｓどうしの間隔（図５（ａ）参照）は、嵌合部材５１の長手寸法等により適宜調整する
ことができる。
【００２８】
また、間仕切壁Ａを複数連結して用いる場合にあっては、上述した凸部４１と凹部４２
が形成された間仕切壁Ａを用いるのが好ましく、例えば図６（ａ）に示したように、壁ｗ
に取り付けられた木材等の垂直部材ｖに間仕切壁Ａの凹部４２を嵌め込んだ後、図６（ｂ
）に示したように、この凹部４２と反対側に形成された凸部４１に他の間仕切壁Ａの凹部
４２を嵌合させる。そして、必要に応じてこの操作を繰り返し行うもので、所望寸法の間
仕切りを行うことができる。
【００２９】
また、間仕切壁Ａの水平方向の終端部である凸部４１側にあっては、図７（ａ）、（ｂ
）に示したように、壁ｗに木材等の垂直部材ｖ’を固定し、この垂直部材ｖ’と間仕切壁
Ａの凸部４１との間に石膏製のボード１３、１３を架け渡すようにしてもよい。
【００３０】
ところで、上述した例にあっては、一つの位置決め部材５２に複数の嵌合部材５１が取
り付けられたものを図示して説明したが、この位置決め部材５２は、図８に示したように
、単一の嵌合部材５１に対してそれぞれ設けてもよい。また、上述した例にあっては、縦
桟２を２箇所に設けた構成の間仕切壁Ａを示したが、図９に示したように、縦桟２を３箇
所に設けたり、４箇所以上（不図示）設けたりしてもよい。
【００３１】
次に、第２の実施例について、図１０〜図１３を参照して説明する。この第２の実施例
は、第１の実施例の間仕切壁Ａ内部に補強板とを備えているものであり、第１のボード１
１と第２のボード１２と縦桟２は、第１の実施例のものと同じであるため、その詳細な説
明は省略する。
【００３２】
図１０において、７は、補強板であり、補強板７は、第１または／および第２のボード
１１、１２を介して取り付けられる金具ｍ（例えば、第１、第２のボード１１、１２に手
摺や棚などの住宅機器を取り付けるための金具）の基台となるものであり、第１または／
および第２のボード１１、１２の内側面に当接するように配設されているもので、その外
形は、間仕切壁Ａ内の空間内に収まる平板状のものであり（図１１参照）、金具ｍを係止
できるように木製の部材で構成されている。
【００３３】
この補強板７は、嵌合部材５１に接続されており、例えば図１０、図１１に示したよう
に、支柱６を介して間仕切壁Ａ内の適所に支持されているもので、支柱６は、図１０に示
したように、嵌合部材５１の側部に形成された切欠き部５１ａに取り付けられ、この支柱
６の上端部に補強板７が取り付けられている。
【００３４】
次に、上述した第２の実施例の構成の間仕切壁Ａの使用方法について説明する。図１１
〜図１３は、補強板７を装着した状態を示した図であり、例えば図１２に示したように、
手摺ｂを取り付けるために、ビスねじ付き金具ｍを第１または／および第２のボード１１
、１２に貫通させ、金具ｍのねじ部を補強板７にねじ込んで固定する。図１３は、手摺ｂ
を間仕切壁Ａに取り付けた状態を示した図である。
【００３５】
ところで、上述した第２の実施例にあっては、補強板７を、支柱６を介して嵌合部材５
１に取り付ける例について示したが、この補強板７は、直接嵌合部材５１に取り付けるよ
うにしてもよい。
【符号の説明】
【００３６】
Ａ        間仕切壁
ｆ        床板
ｃ        天井板
ｗ        壁
１１      第１のボード
１２      第２のボード
２、２１、２２    縦桟
３        開放端部
４１      凸部
４２      凹部
５１      嵌合部材
７        補強板
【図１】
0005613854.tif 000002
【図２】
0005613854.tif 000003
【図３】
0005613854.tif 000004
【図４】
0005613854.tif 000005
【図５】
0005613854.tif 000006
【図６】
0005613854.tif 000007
【図７】
0005613854.tif 000008
【図８】
0005613854.tif 000009
【図９】
0005613854.tif 000010
【図１０】
0005613854.tif 000011
【図１１】
0005613854.tif 000012
【図１２】
0005613854.tif 000013
【図１３】
0005613854.tif 000014